(57)【特許請求の範囲】
【請求項１】
複数のパチンコ機が配設された島内を循環する玉の中へ混入した異物を除去する異物除去装置において、
前記玉の搬送路の底部へ長手方向に沿って延設されたレールと、前記レールの両側へ所定の隙間をおいてレールの上流端から下流端に亘って延設されレールより高く前記玉の径より大きい幅の玉通路を構成する仕切壁と、前記仕切壁の上部の上流端が前記レールと同じ高さとされ玉の流れ方向に沿って上り勾配とされた誘導斜面と、前記誘導斜面の上りの終端から前記仕切壁の下流端付近にかけて下り勾配とされた受け斜面と、
前記受け斜面を覆い玉の流れ方向に沿って下り勾配となり、前記誘導斜面から押し上げられてきたカード形状の異物が上部に至る受け板と、前記玉通路の通路高が前記レール部分が高く前記仕切壁部分が低くなるようにレール及び仕切壁の下流側の上面を覆い異物を止める止め板と、で構成されたカバーと、
前記受け板の上端に、前記受け斜面との段差をなくすように形成されたテーパー部と、
を有することを特徴とする異物除去装置。
【請求項２】
前記仕切壁の下部が前記玉通路を流れる玉が通過不能な程度に長手方向に亘って切欠かれたことを特徴とする請求項１に記載の異物除去装置。
【発明の詳細な説明】
【０００１】
【産業上の利用分野】
本発明は、複数のパチンコ機が配設された島内を循環する玉へ混入した異物を取り除く異物除去装置に関する。
【０００２】
【従来技術】
パチンコホールには、パチンコ機が複数設置された島が並列配置されており、また、遊技者の便を図るため、パチンコ機とパチンコ機との間には薄型の自動貸玉機が備えられている。
【０００３】
ところで、近年、図４に示すように、プリペードカードＰを挿入口６０へ挿入することによって、貸玉が得られる自動貸玉機６２を備えた島６４がある。しかし、パチンコ機６６と自動貸玉機６２との間には、若干隙間が開いているので、遊技者が故意にプリペードカードＰを挿入してしまうことがある。
【０００４】
このように、挿入されたプリペードカードＰは、パチンコ機６６の裏側に設けられた玉搬送路へ落ちて、島６４の上部へ玉を揚送する研磨機へ玉と共に搬送され、研磨機を故障させる原因となる。このような、不都合は、硬貨の投入によって、貸玉が得られる自動貸玉機の場合においても同様で、自動貸玉機で移送される途中で硬貨が玉搬送路へ転落することがある。
【０００５】
これに対処するため、研磨機の手前に異物除去路を設け、異物を除去する方法も提案されている（実公昭６０−１０６１３号公報参照）。
【０００６】
しかしながら、従来の異物除去路は、スノコ状の樋に高さの異なる仕切壁を立設させ、水平姿勢で搬送された硬貨を強制的に起立させ、スノコの開口した底部から落下させることに主眼が置かれていた。このため、起立させることができないプリペードカード等は、仕切壁の上に積層され、逆に異物除去路を通過する玉の流れを阻害することがある。
【０００７】
【発明が解決しょうとする課題】
本発明は係る事実を考慮して、玉の搬送路へプリペードカードのようなカード形状の物が混入しても除去することができる異物除去装置を提供することを目的とする。
【０００８】
【課題を解決するための手段】
請求項１に記載の異物除去装置は、複数のパチンコ機が配設された島内を循環する玉の中へ混入した異物を除去する異物除去装置において、前記玉の搬送路の底部へ長手方向に沿って延設されたレールと、前記レールの両側へ所定の隙間をおいてレールの上流端から下流端に亘って延設されレールより高く前記玉の径より大きい幅の玉通路を構成する仕切壁と、前記仕切壁の上部の上流端が前記レールと同じ高さとされ玉の流れ方向に沿って上り勾配とされた誘導斜面と、前記誘導斜面の上りの終端から前記仕切壁の下流端付近にかけて下り勾配とされた受け斜面と、前記受け斜面を覆い玉の流れ方向に沿って下り勾配となり、前記誘導斜面から押し上げられてきたカード形状の異物が上部に至る受け板と、前記玉通路の通路高が前記レール部分が高く前記仕切壁部分が低くなるようにレール及び仕切壁の下流側の上面を覆い異物を止める止め板と、で構成されたカバーと、前記受け板の上端に、前記受け斜面との段差をなくすように形成されたテーパー部と、を有することを特徴としている。
【０００９】
請求項２に記載の異物除去装置は、前記仕切壁の下部が前記玉通路を流れる玉が通過不能な程度に長手方向に亘って切欠かれたことを特徴としている。
【００１１】
【作用】
請求項１に記載の異物除去装置では、搬送路の底部へ長手方向に沿って延設されたレールと、このレールの両側に延設されレールより背の高い仕切壁とによって構成された玉通路を玉が流れるようになっている。
【００１２】
この玉通路の幅は、玉の径より大きくされており、硬貨のような異物は、玉と共に玉通路に持ち込まれ、玉と仕切壁に挟まれて起立状態とされ、レールと仕切壁との隙間から落ちて玉通路から取り除かれる。
【００１３】
また、仕切壁の上部には、仕切壁の上流端がレールと同じ高さとされ玉の流れ方向に沿って上り勾配とされた誘導斜面が形成されている。従って、玉通路に持ち込まれたプリペードカードのようなカード形状の異物は、玉によって誘導斜面へ押し上げられる。誘導斜面の上りの終端まで押し上げられたカード形状の異物は、次に、仕切壁の下流端にかけて下り勾配となった受け斜面側へ押し出される。このため、誘導斜面の上で積層することがなく、玉通路を流れる玉の流れを阻害しない。
また、カバーを構成する受け板が、受け斜面を覆い玉の流れ方向に沿って下り勾配となっている。従って、誘導斜面から押し上げられてきたカード形状の異物が、この受け板の上に押し出される。受け板の上端には、受け斜面との段差をなくすように形成されたテーパー部が形成されているので、誘導斜面から押し上げられてきたカード形状の異物は、スムーズに受け板の上に押し出される。
また、止め板が仕切壁及びレールの下流部側の上面に被せられ、玉通路の高さを制限している。この止め板は、レール部分を高く、仕切壁部分を低くする形状とされ、換言すれば、玉の中心部（レール上）を高く、その両側（仕切壁上）を低くする形状を採ることで、玉の通過空間を最大限に狭くできる。これによって、玉のみが玉通路を通過可能となり、レールの下流端まで持ち込まれた異物も、この止め板によって排除され、異物除去装置の外側へ流れ込むことがない。
【００１４】
請求項２に記載の異物除去装置では、仕切壁の下部が玉通路を流れる玉が通過不能な程度に長手方向に亘って切欠かれている。このため、玉通路内へ持ち込まれた硬貨が仕切壁によって完全に起立状態とならなず、多少傾斜した状態であっても、この切欠から落下して玉通路から取り除かれる。
【００１７】
【実施例】
図１及び図２に示すように、本実施例に係る異物除去装置１０は、島に設けられた研磨機１２の投入口１４に配設され、玉の搬送路（図示省略）へ持ち込まれた異物を除去するようになっているが、研磨機１２への異物の混入を除去できれば、特に取付位置は限定されない。
【００１８】
研磨機１２の投入口１４の下流側には、玉の搬送経路の幅方向に沿って取付プレート１６が対面して配設されている。この取付プレート１６の下流側には、Ｌ型のブラケット１８が張り出している。このブラケット１８の上面には、長方形状のプレート２０が載せられている。このプレート２０には、幅方向に所定の間隔で並べられた丸棒２２の下流側端部が取付けられている。この丸棒２２と丸棒２２との隙間が、搬送路から流れてくる玉を整列させるガイド溝２４とされている。なお、ガイド溝２４の幅方向の両端には、側壁２６が立設され、玉が溢れないようになっている。
【００１９】
また、ブラケット１８の側面には、クランク形状の支持板２８の下側面が固定されている。この支持板２８は、下流側にも配設されており、取付プレート１６の下流側から、互いに接近し合う方向へ張り出したブラケット３０に固定されている。
【００２０】
一方、支持板２８の間には、長板状のレール３２が架け渡されている。このレール３２の軸線は、ガイド溝２４の中心線上と一致し、さらに、レール３２の高さは、ガイド溝２４を流れる玉の周底部より低くなるように設定されている。これによって、ガイド溝２４を流れる玉がレール３２の上へ支障なく流れ込むようになっている。
【００２１】
また、支持板２８の間には、レール３２より背の高い長板状の仕切壁３４が架け渡され、レール３２を間に置いて、図３に示すように、玉通路３６を構成している。この玉通路３６の幅は、玉と硬貨Ｃが同時に進入可能な幅（硬貨の厚み＋玉の径）に設定されている。さらに、仕切壁３４の下部には、長手方向に亘って切欠３８が形成されている。この切欠３８の上縁部とレール３２の上部とを結ぶ長さは、玉の径より小さくされており、レール３２の上を流れる玉が切欠３８から落ちないようになっている。
【００２２】
この切欠３８により、硬貨Ｃは、仕切壁３４によって完全に起立状態とされなくても、多少傾いた状態とされれば、切欠３８から抜け落ちレール３２と仕切壁３４との隙間から排除される。
【００２３】
一方、仕切壁３４の上部には、上流端がレール３２の高さと同じとされ、玉の流れ方向に沿って上り勾配の誘導斜面３４Ａが形成されている。この誘導斜面３４Ａには、玉に押されて丸棒２２の上をスライドしてきたプリペードカードＰや、玉の上に載って運ばれてきたプリペードカードＰが、玉の流れに押されて乗り上げるようになっている。なお、硬貨Ｃが誘導斜面３４Ａに乗り上げることもあるが、玉の流れによって生じる振動によって、殆ど玉通路３６へ転落して、レール３２と仕切壁３４との隙間から排除される。
【００２４】
さらに、誘導斜面３４Ａの上りの終端から仕切壁３４の下流端付近にかけて下り勾配となった受け斜面３４Ｂが形成されている。この受け斜面３４Ｂの終端から仕切壁３４の下流端にかけては、平坦面３４Ｃとされている。これら受け斜面３４Ｂ及び平坦面３４Ｃには、カバー４２が被せられている。
【００２５】
このカバー４２は、受け斜面３４Ｂを覆い玉の流れ方向に沿って下り勾配となる受け板４４と、平坦面３４Ｃを覆う止め板４６とで構成されている。
【００２６】
受け板４４の上端には、受け斜面３４Ｂとの段差をなくすようにテーパー部４４Ａが形成されており、誘導斜面３４Ａから押し上げられてきたプリペードカードＰが、スムーズに受け板４４の上に押し出されるようになっている。
【００２７】
一方、止め板４６は、図３に示すように、断面視にて三角波状とされ、レール３２部分の玉通路高さが高く、仕切壁３４部分の玉通路高さが低くされている。換言すれば、玉の中心部（レール３２上）を高く、その両側（仕切壁３４上）を低くする形状が採られており、２つの玉が重なって通過できる空間を最大限に狭くしている。このように、玉のみが通過できる空間を確保することで、レール３２の下流端まで持ち込まれた硬貨Ｃも、この止め板４６によって排除され、研磨機１２へ流れ込むことがない。
【００２８】
なお、本実施例では、取付プレート１６の間に蓋（図示省略）を掛け、埃の侵入を防ぐ構造となっている。このため、蓋側に補強用のステー４８を取付けるようになっているが、このステー４８の配設位置は、誘導斜面３４Ａと受け斜面３４Ｂとの分岐点とされ、ステー４８と仕切壁３４との隙間ＬをプリペードカードＰが通過して、受け板４４の上に至るようになっている。また、取付プレート１６の下方には、溜まった異物を取り出す開口部５８が形成されている。
【００２９】
次に、本実施例に係る異物除去装置の作用を説明する。
ガイド溝２４で整列された玉は、玉通路３６へ流れこむ。このとき、玉の中に混入し玉通路３６に持ち込まれた硬貨Ｃは、玉と仕切壁３４に挟まれて起立状態とされ、レール３２と仕切壁３４との隙間から落ちて玉通路３６から取り除かれる。また、仕切壁３４の誘導斜面３４Ａへ乗り上げた硬貨Ｃは、振動によって玉通路３６へ転落し、レール３２と仕切壁３４との隙間から排除される。
【００３０】
一方、玉通路３６に持ち込まれたプリペードカードＰは、玉によって誘導斜面３４Ａへ押し上げられ、隙間Ｌを通過して下り勾配となった受け板４４の上へ押し出される。このため、誘導斜面３４Ａの上で積層することがなく、玉通路３４を流れる玉の流れを阻害しない。
【００３１】
【発明の効果】
本発明は上記構成としたので、玉の搬送路へプリペードカードのようなカード形状の物が混入しても除去することができる。
【図面の簡単な説明】
【図１】本実施例に係る異物除去装置の斜視図である。
【図２】本実施例に係る異物除去装置の側断面図である。
【図３】本実施例に係る異物除去装置を上流側から見た正面図である。
【図４】島に備えられたプリペードカード式の自動貸玉機を示した概念図である。
【符号の説明】
３２      レール
３４      仕切壁
３４Ａ    誘導斜面
３４Ｂ    受け斜面
３８      切欠
４２      カバー
４４      受け板
４６      止め板
【図１】
0004173562.tif 000002
【図２】
0004173562.tif 000003
【図３】
0004173562.tif 000004
【図４】
0004173562.tif 000005